(57)【要約】      （修正有）【課題】室内ユニットの大型化を招くことなく、フィルタの塵埃を簡易に除去すること。【解決手段】ケーシング３４内には、室内ファン３９の吹出空気が導入されてエアフィルタ４０の背面に向かって吹き出すことにより、エアフィルタ４０の塵埃を除去する空気導入部５１が設けられている。さらに、エアフィルタ４０から除去された塵埃が空気と共にケーシング３４外へ排出される排出ダクト６１が設けられている。【選択図】図２
2009030862.tif 000002
【特許請求の範囲】
【請求項１】
ケーシング（34）内に、室内熱交換器（37）と、室内から空気を吸い込んで上記室内熱交換器（37）へ吹き出す室内ファン（39）と、該室内ファン（39）の吸い込み側に設けられるエアフィルタ（40）とを備えた空気調和装置の室内ユニットであって、
上記エアフィルタ（40）に捕捉された塵埃を上記室内ファン（39）の吹出空気によって除去する塵埃除去手段（50）を備えている
ことを特徴とする空気調和装置の室内ユニット。
【請求項２】
請求項１において、
上記塵埃除去手段（50）は、上記室内ファン（39）の吹出空気が導入され、上記エアフィルタ（40）に対してその背面側から吹き出すことにより該エアフィルタ（40）の塵埃を除去する空気導入部（51）を備えている
ことを特徴とする空気調和装置の室内ユニット。
【請求項３】
請求項１または２において、
上記室内ファン（39）の吹出空気は、上記室内熱交換器（37）を通過する前のものである
ことを特徴とする空気調和装置の室内ユニット。
【請求項４】
請求項２において、
上記塵埃除去手段（50）の空気導入部（51）は、上記室内ファン（39）の吹出空気が導入される導入口を開閉する開閉手段（51b）を備えている
ことを特徴とする空気調和装置の室内ユニット。
【請求項５】
請求項２において、
上記塵埃除去手段（50）は、上記空気導入部（51）に対して上記エアフィルタ（40）を順次移動させるフィルタ移動手段（52）を備えている
ことを特徴とする空気調和装置の室内ユニット。
【請求項６】
請求項２において、
上記空気導入部（51）の吹出口に対向するように位置し且つ上記エアフィルタ（40）から除去された塵埃が上記空気導入部（51）からの吹出空気と共に取り込まれる塵埃取込口（63）を有し、該取り込まれた塵埃を空気と共に上記ケーシング（34）外に排出する排出ダクト（61,67）を備えている
ことを特徴とする空気調和装置の室内ユニット。
【請求項７】
請求項６において、
上記排出ダクト（61,67）に接続され、上記エアフィルタ（40）から除去された塵埃が貯留される塵埃捕集箱（71）を備えている
ことを特徴とする空気調和装置の室内ユニット。
【請求項８】
請求項６において、
上記塵埃除去手段（50）は、上記排出ダクト（61,67）の塵埃取込口（63）に設けられ且つ上記エアフィルタ（40）の正面側に接触するブラシ部材（58）を備えている
ことを特徴とする空気調和装置の室内ユニット。
【請求項９】
請求項２において、
上記室内ファン（39）の吹出空気が上記室内熱交換器（37）を通過して室内へ供給される吹出口（23）には、風向を調整するための風向調整板（23a）が設けられ、
上記塵埃除去手段（50）の塵埃除去時に、上記吹出口（23）の通風抵抗が最大になるように上記風向調整板（23a）を調整する
ことを特徴とする空気調和装置の室内ユニット。
【請求項１０】
請求項２において、
上記塵埃除去手段（50）の塵埃除去時に、上記室内熱交換器（37）への熱媒体の供給を停止する
ことを特徴とする空気調和装置の室内ユニット。
【請求項１１】
請求項２において、
上記塵埃除去手段（50）の塵埃除去時に、上記室内ファン（39）の運転回転数を最大にする
ことを特徴とする空気調和装置の室内ユニット。
【発明の詳細な説明】
【技術分野】
【０００１】
本発明は、空気調和装置の室内ユニットに関し、特に、エアフィルタから除去した塵埃の排出対策に係るものである。
【背景技術】
【０００２】
従来より、エアフィルタに捕捉された塵埃を除去するための塵埃除去手段を備えている空気調和装置の室内ユニットが数多く知られている。この種の塵埃除去手段として、エアフィルタの塵埃を吸引して除去するものが例えば特許文献１に開示されている。
【０００３】
上記特許文献１に記載されている空気調和装置の塵埃除去手段は、吸引ファンと、第１の管体および第２の管体と、塵埃箱とを備えている。第１の管体および第２の管体は、エアフィルタを挟み込むように位置し、エアフィルタの幅方向に延びている。第１の管体はエアフィルタの風上側（塵埃捕捉側）に位置し、第２の管体はエアフィルタの風下側（背面側）に位置している。第２の管体の一端は吸引ファンに接続され、他端は塵埃箱に接続されている。第１の管体の一端は塵埃箱に接続され、他端は閉塞端になっている。そして、第１の管体には、エアフィルタの風上面（塵埃捕捉面）に対向する吸込み孔が形成されている。つまり、第１の管体の吸込み孔は、吸引ファンに連通している。この塵埃除去手段では、吸引ファンによって、エアフィルタに捕捉された塵埃が第１の管体の吸込み孔に吸い込まれる。吸い込まれた塵埃は、塵埃箱に流れて捕集される。
【特許文献１】特開２００５−８３７２１号公報
【発明の開示】
【発明が解決しようとする課題】
【０００４】
しかしながら、上述した特許文献１の空気調和装置では、エアフィルタに捕捉された塵埃を除去（吸引）するために、吸引ファンを別途設けるようにしているので、その分コスト高となり、また装置（室内ユニット）が大型化するという問題があった。また、塵埃を除去する頻度、即ちフィルタの清掃頻度はそれ程高くないため、そのためだけに吸引ファンを設けることは不経済であるという問題があった。
【０００５】
本発明は、斯かる点に鑑みてなされたものであり、その目的は、室内ファンとその吸い込み側に位置するエアフィルタとを備えた空気調和装置の室内ユニットにおいて、装置の大型化を招くことなく、簡易にエアフィルタの塵埃を除去することである。
【課題を解決するための手段】
【０００６】
第１の発明は、ケーシング（34）内に、室内熱交換器（37）と、室内から空気を吸い込んで上記室内熱交換器（37）へ吹き出す室内ファン（39）と、該室内ファン（39）の吸い込み側に設けられるエアフィルタ（40）とを備えた空気調和装置の室内ユニットを前提としている。そして、本発明は、上記エアフィルタ（40）に捕捉された塵埃を上記室内ファン（39）の吹出空気によって除去する塵埃除去手段（50）を備えているものである。
【０００７】
上記の発明では、ケーシング（34）内に取り込まれた室内空気がエアフィルタ（40）を通過した後、室内ファン（39）から吹き出される。吹き出した空気は、室内熱交換器（37）を通過して室内へ吹き出す。空気がエアフィルタ（40）を通過する際、空気中に含まれる塵埃がエアフィルタ（40）に捕捉される。そして、室内ファン（39）から吹き出された空気の一部または全部がエアフィルタ（40）に導かれ、エアフィルタ（40）に捕捉された塵埃が除去される。つまり、本発明は、室内ファン（39）の吹出空気を利用して、エアフィルタ（40）の塵埃を除去するようにしている。
【０００８】
第２の発明は、上記第１の発明において、上記塵埃除去手段（50）は、上記室内ファン（39）の吹出空気が導入され、上記エアフィルタ（40）に対してその背面側から吹き出すことにより該エアフィルタ（40）の塵埃を除去する空気導入部（51）を備えているものである。
【０００９】
上記の発明では、室内ファン（39）から吹き出された空気の一部または全部が空気導入部（51）に導入される。導入された空気は、エアフィルタ（40）の背面へ向かって吹き出す。ここで、エアフィルタ（40）の背面とは、例えば図２において上側の面であり、即ち塵埃が捕捉される面（エアフィルタ（40）の正面）の反対側の面である。エアフィルタ（40）の背面に吹き出した空気がそのエアフィルタ（40）を通過することで塵埃が除去される。つまり、塵埃が捕捉されている面とは反対側の面から空気が通過するため、塵埃が容易に除去される。
【００１０】
第３の発明は、上記第１または第２の発明において、上記室内ファン（39）の吹出空気は、上記室内熱交換器（37）を通過する前のものである。
【００１１】
上記の発明では、室内熱交換器（37）へ供給される前の空気がエアフィルタ（40）に導かれることによって、エアフィルタ（40）の塵埃が除去される。
【００１２】
第４の発明は、上記第２の発明において、上記塵埃除去手段（50）の空気導入部（51）は、上記室内ファン（39）の吹出空気が導入される導入口を開閉する開閉手段（51b）を備えているものである。
【００１３】
上記の発明では、空気導入部（51）の導入口が開閉手段（51b）によって任意に開閉される。例えば、その導入口は、通常運転時には開閉手段（51b）によって閉じられ、エアフィルタ（40）の清掃時には開閉手段（51b）によって開かれる。これにより、フィルタ清掃が必要なときにだけ、室内ファン（39）の吹出空気が空気導入部（51）に導入される。
【００１４】
第５の発明は、上記第２の発明において、上記塵埃除去手段（50）は、上記空気導入部（51）に対して上記エアフィルタ（40）を順次移動させるフィルタ移動手段（52）を備えているものである。
【００１５】
上記の発明では、エアフィルタ（40）において空気導入部（51）の吹出口に対応する部分の塵埃が除去されると、エアフィルタ（40）が所定距離だけ移動して停止する。そして、再び空気導入部（51）の吹出口に対応する新たな部分の塵埃が除去される。このように、エアフィルタ（40）を順次移動させることにより、エアフィルタ（40）の全長（塵埃が捕捉されている箇所の全て）について順に清掃される。
【００１６】
第６の発明は、上記第２の発明において、上記空気導入部（51）の吹出口に対向するように位置し且つ上記エアフィルタ（40）から除去された塵埃が上記空気導入部（51）からの吹出空気と共に取り込まれる塵埃取込口（63）を有し、該取り込まれた塵埃を空気と共に上記ケーシング（34）外に排出する排出ダクト（61,67）を備えているものである。
【００１７】
上記の発明では、エアフィルタ（40）から除去された塵埃が空気導入部（51）からの吹出空気と共に排出ダクト（61,67）に流入する。流入した空気は、排出ダクト（61,67）を通じてケーシング（34）外へ流出する。その際、塵埃も空気と共にケーシング（34）外へ排出される。
【００１８】
第７の発明は、上記第６の発明において、上記排出ダクト（61,67）に接続され、上記エアフィルタ（40）から除去された塵埃が貯留される塵埃捕集箱（71）を備えているものである。
【００１９】
上記の発明では、エアフィルタ（40）から除去された塵埃が排出ダクト（61,67）を通じて塵埃捕集箱（71）に搬送されて溜められる。
【００２０】
第８の発明は、上記第６の発明において、上記塵埃除去手段（50）は、上記排出ダクト（61,67）の塵埃取込口（63）に設けられ且つ上記エアフィルタ（40）の正面側に接触するブラシ部材（58）を備えているものである。
【００２１】
上記の発明では、ブラシ部材（58）がエアフィルタ（40）の正面側（即ち、塵埃が捕捉される面）に接触している。また、ブラシ部材（58）は、エアフィルタ（40）において空気導入部（51）の吹出空気が通過する部分に接触している。そうすると、例えばエアフィルタ（40）が移動することにより、エアフィルタ（40）の塵埃がブラシ部材（58）によって掻き取られる。また、ブラシ部材（58）がエアフィルタ（40）に対して接触しながら動作することにより、エアフィルタ（40）の塵埃がブラシ部材（58）によって掻き取られる。したがって、エアフィルタ（40）の塵埃が空気導入部（51）の吹出空気によって除去され易くなる。
【００２２】
第９の発明は、上記第２の発明において、上記室内ファン（39）の吹出空気が上記室内熱交換器（37）を通過して室内へ供給される吹出口（23）には、風向を調整するための風向調整板（23a）が設けられている。そして、本発明は、上記塵埃除去手段（50）の塵埃除去時に、上記吹出口（23）の通風抵抗が最大になるように上記風向調整板（23a）を調整するものである。
【００２３】
上記の発明では、エアフィルタ（40）の塵埃除去時において、吹出口（23）の通風抵抗が最大になる。そうすると、吹出口（23）の吹出量が減少し、その分多くの空気が空気導入部（51）に導入される。これにより、エアフィルタ（40）の塵埃除去量が増大する。
【００２４】
第１０の発明は、上記第２の発明において、上記塵埃除去手段（50）の塵埃除去時に、上記室内熱交換器（37）への熱媒体の供給を停止するものである。
【００２５】
上記の発明では、例えば、蒸気圧縮式冷凍サイクルを行う冷媒回路（18）を備えた空気調和装置（10）の場合、エアフィルタ（40）の塵埃除去時に、室内熱交換器（37）への冷媒（熱媒体）の供給が停止される。そうすると、室内ファン（39）から吹き出された空気は、室内熱交換器（37）において冷却も加熱もされない。
【００２６】
第１１の発明は、上記第２の発明において、上記塵埃除去手段（50）の塵埃除去時に、上記室内ファン（39）の運転回転数を最大にするものである。
【００２７】
上記の発明では、エアフィルタ（40）の塵埃除去時において、室内ファン（39）が最大の運転回転数で運転されるので、室内ファン（39）の吹出空気量が増大し、空気導入部（51）への空気の導入量が増大する。したがって、塵埃の除去量が増大する。
【発明の効果】
【００２８】
以上のように、本発明によれば、エアフィルタ（40）に捕捉された塵埃を室内ファン（39）の吹出空気によって除去するようにした。したがって、エアフィルタ（40）を簡易に清掃することができると共に、吸引ファン等を別途設ける必要がないため、ユニットの大型化を防止することができる。
【００２９】
また、第２の発明によれば、室内ファン（39）の吹出空気を導入してエアフィルタ（40）の背面に向かって吹き出す空気導入部（51）を設けるようにした。したがって、エアフィルタ（40）において、塵埃が捕捉されている面（エアフィルタ（40）の正面）とは反対側の面から空気を通過させることができるので、塵埃を容易に除去することができる。その結果、塵埃の除去効率を向上させることができる。
【００３０】
また、第３の発明によれば、室内熱交換器（37）に流れる前の室内ファン（39）の吹出空気によってエアフィルタ（40）の塵埃を除去するようにした。したがって、例えば冷房時の場合、室内熱交換器（37）で冷却される前の空気がエアフィルタ（40）へ流れるため、エアフィルタ（40）において冷気による結露発生を防止することができる。これにより、結露防止対策を別途講じる必要がないため、コスト削減を図ることができる。
【００３１】
また、第４の発明によれば、空気導入部（51）の導入口に開閉手段（51b）を設けるようにした。したがって、エアフィルタ（40）の清掃が必要なときに開閉手段（51b）を開くことで、室内ファン（39）の吹出空気を空気導入部（51）へ導入させることができる。そのため、室内ファン（39）の吹出空気が無駄に空気導入部（51）即ちエアフィルタ（40）に供給されるのを防止することができる。これにより、通常運転時には、室内ファン（39）の吹出空気の全部を室内熱交換器（37）へ供給することができる。その結果、居住者の快適性を低下させずにすむ。
【００３２】
また、第５の発明によれば、空気導入部（51）に対してエアフィルタ（40）を順次移動させるフィルタ移動手段（52）を設けるようにした。したがって、空気導入部（51）の吹出口を大きくすることなく、確実にエアフィルタ（40）の全長に亘って塵埃を除去することができる。これにより、空気導入部（51）の大型化引いてはユニットの大型化を防止することができる。
【００３３】
また、第６の発明によれば、エアフィルタ（40）から除去された塵埃を空気と共に取り込んでケーシング（34）外に排出する排出ダクト（61,67）を設けるようにした。したがって、特に高所に取り付けられたユニット（13）から塵埃を取り出す手間を省くことができる。したがって、ユーザーによる塵埃の廃棄作業効率を向上させることができる。
【００３４】
また、第７の発明によれば、排出ダクト（61,67）に接続される塵埃捕集箱（71）を設けるようにしたので、除去された塵埃を塵埃捕集箱（71）に一旦溜めることができる。したがって、塵埃捕集箱（71）を廃棄しやすい場所に配置することにより、塵埃の廃棄作業効率を向上させることができる。また、複数の室内ユニット（13）に対して共通の塵埃捕集箱（71）を設けるようにすれば、複数の室内ユニット（13）内で捕捉された塵埃をまとめて回収することができる。したがって、室内ユニット（13）を複数台備えた場合でも、塵埃の廃棄作業効率を向上させることができる。
【００３５】
また、第８の発明によれば、エアフィルタ（40）の正面側に接触するブラシ部材（58）を排出ダクト（61,67）の塵埃取込口（63）に設けるようにした。したがって、空気導入部（51）による空気の吹出作用に加え、塵埃に対するブラシ部材（58）の掻き取り作用により、エアフィルタ（40）の塵埃を容易に除去することができる。その結果、塵埃の除去効率を向上させることができる。
【００３６】
また、第９の発明によれば、塵埃除去手段（50）の塵埃除去時には、吹出口（23）の通風抵抗を最大にするようにした。これにより、吹出口（23）の吹出量を減少させて、空気導入部（51）への空気導入量を増大させることができる。したがって、塵埃の除去効率を向上させることができ、その結果、エアフィルタ（40）の清掃運転時間を短縮することができる。
【００３７】
また、第１０の発明によれば、塵埃除去手段（50）の塵埃除去時には、室内熱交換器（37）への熱媒体の供給を停止するようにした。したがって、フィルタ清掃時には、室内熱交換器（37）での熱交換を阻止することができる。例えば、フィルタ清掃時において、室内ファン（39）の吹出空気の一部を空気導入部（51）へ導入させるようにした場合、室内熱交換器（37）への空気供給量が通常運転時より減少する。このままでは、室内熱交換器（37）において、空気が過度に冷却または加熱され、居住者の快適性が損なわれる。また、空気が過度に冷却されることで、室内熱交換器（37）において露付き（結露）が生じるという問題が発生する。ところが、本発明によれば、室内熱交換器（37）での熱交換を阻止するため、空気が過度に冷却または加熱されることはなく、上述した不具合の発生を防止することができる。
【００３８】
また、第１１の発明によれば、塵埃除去手段（50）の塵埃除去時には、室内ファン（39）の運転回転数を最大にするようにした。したがって、空気導入部（51）への空気導入量を増大させることができ、塵埃の除去効率を向上させることができる。
【発明を実施するための最良の形態】
【００３９】
以下、本発明の実施形態を図面に基づいて詳細に説明する。
【００４０】
本実施形態は、本発明に係る室内ユニット（13）を備えた空気調和装置（10）である。この空気調和装置（10）では、室内ユニット（13）が室内空間の天井に設置される。なお、以下では、先ず本実施形態に係る空気調和装置（10）について説明し、次に本発明に係る室内ユニット（13）について説明する。
【００４１】
図１に示すように、上記空気調和装置（10）は、室外ユニット（11）と室内ユニット（13）とを備えている。室外ユニット（11）には、圧縮機（30）、室外熱交換器（35）、膨張弁（36）、四路切換弁（33）および室外ファン（12）が設けられている。室内ユニット（13）には、室内熱交換器（37）および室内ファン（39）が設けられている。
【００４２】
上記室外ユニット（11）において、圧縮機（30）の吐出側は、四路切換弁（33）の第１ポート（P1）に接続されている。圧縮機（30）の吸入側は、四路切換弁（33）の第３ポート（P3）に接続されている。
【００４３】
上記室外熱交換器（35）は、クロスフィン式のフィン・アンド・チューブ型熱交換器として構成されている。室外熱交換器（35）の一端は、四路切換弁（33）の第４ポート（P4）に接続されている。室外熱交換器（35）の他端は、液側閉鎖弁（15）に接続されている。
【００４４】
上記室外ファン（12）は、室外熱交換器（35）の近傍に設けられている。室外熱交換器（35）では、室外ファン（12）によって送られる室外空気と流通する冷媒との間で熱交換が行われる。室外熱交換器（35）と液側閉鎖弁（15）との間には、開度可変の膨張弁（36）が設けられている。また、四路切換弁（33）の第２ポート（P2）はガス側閉鎖弁（16）に接続されている。
【００４５】
上記四路切換弁（33）は、第１ポート（P1）と第２ポート（P2）が互いに連通し且つ第３ポート（P3）と第４ポート（P4）が互いに連通する第１状態（図１に実線で示す状態）と、第１ポート（P1）と第４ポート（P4）が互いに連通し且つ第２ポート（P2）と第３ポート（P3）が互いに連通する第２状態（図１に破線で示す状態）とが切り換え可能になっている。
【００４６】
この空気調和装置（10）では、四路切換弁（33）が第１状態の場合、暖房運転が行われ、四路切換弁（33）が第２状態の場合、冷房運転が行われる。暖房運転では、冷媒回路（18）において、室外熱交換器（35）が蒸発器として機能し且つ室内熱交換器（37）が凝縮器として機能する蒸気圧縮式冷凍サイクルが行われる。一方、冷房運転では、冷媒回路（18）において、室外熱交換器（35）が凝縮器として機能し且つ室内熱交換器（37）が蒸発器として機能する蒸気圧縮式冷凍サイクルが行われる。
【００４７】
〈室内ユニットの構成〉
図２および図３に示すように、上記室内ユニット（13）は、ケーシング本体（26）と化粧パネル（27）とを有するケーシング（34）を備えている。ケーシング（34）内には、室内熱交換器（37）、ドレンパン（38）、室内ファン（39）、エアフィルタ（40）、塵埃除去手段（50）および塵埃排出手段（60）が設けられている。
【００４８】
上記ケーシング本体（26）は、下側が開放された略直方体の箱状に形成されている。ケーシング本体（26）の内面には、断熱材（17）が積層されている。ケーシング本体（26）は、下部が天井板の開口に挿通する状態で設置される。
【００４９】
上記化粧パネル（27）は、矩形の板状に形成されている。化粧パネル（27）の平面視形状は、ケーシング本体（26）の平面視形状よりも一回り大きくなっている。化粧パネル（27）は、シール部材（19）を間に挟んだ状態でケーシング本体（26）の下側を覆うように取り付けられる。化粧パネル（27）がケーシング本体（26）に取り付けられた状態では、化粧パネル（27）が室内に露出する。
【００５０】
図４にも示すように、上記化粧パネル（27）には、１つの吸込口（22）と４つの吹出口（23）とが形成されている。吸込口（22）は、矩形状に形成され、化粧パネル（27）の中央部に形成されている。吸込口（22）には、スリット状に形成された吸込グリル（29）が嵌め込まれている。各吹出口（23）は、細長い矩形状に形成されている。各吹出口（23）は、化粧パネル（27）の各辺に沿うように形成されている。そして、各吹出口（23）には、風向調整板（23a）が設けられている（図２等参照）。この風向調整板（23a）は、回動して風向（吹出方向）を調整するものである。
【００５１】
上記室内ファン（39）は、いわゆるターボファンである。室内ファン（39）は、ケーシング本体（26）の中央付近に配置され、吸込口（22）の上側に位置している。室内ファン（39）は、ファンモータ（39a）と羽根車（39b）とを備えている。ファンモータ（39a）は、ケーシング本体（26）の天板に固定されている。羽根車（39b）は、ファンモータ（39a）の回転軸に連結されている。室内ファン（39）の下側には、吸込口（22）に連通するベルマウス（25）が設けられている。このベルマウス（25）は、ケーシング（34）内において、室内熱交換器（37）の上流側の空間を室内ファン（39）側と吸込グリル（29）側とに区画している。室内ファン（39）は、ベルマウス（25）を介して下側から吸い込んだ空気を周方向へ吹き出すように構成されている。
【００５２】
上記室内熱交換器（37）は、クロスフィン式のフィン・アンド・チューブ型熱交換器として構成されている。室内熱交換器（37）は、平面視でロ字状に形成され、室内ファン（39）の周囲を囲むように配置されている。室内熱交換器（37）では、室内ファン（39）によって送られる室内空気（吹出空気）と流通する冷媒との間で熱交換が行われる。
【００５３】
上記ドレンパン（38）は、室内熱交換器（37）の下側に設けられている。ドレンパン（38）は、室内熱交換器（37）において空気中の水分が凝縮して生じるドレン水を受けるためのものである。ドレンパン（38）には、ドレン水を排水するためのドレンポンプが設けられている（図示省略）。ドレンパン（38）は、ドレンポンプを設置した箇所にドレン水が集まるように勾配がつけられている。
【００５４】
上記エアフィルタ（40）は、長いシート状に形成され、ベルマウス（25）の下側（入口側）に配置されている。エアフィルタ（40）は、平面視矩形状のフィルタ本体（41）と、巻取り部（42）とを備えている。フィルタ本体（41）は、ベルマウス（25）の入口を覆う大きさに形成され、室内ファン（39）に吸い込まれる室内空気中の塵埃を捕捉する部分である。巻取り部（42）は、フィルタ本体（41）の一対の対向する各辺に接続されており、後述する塵埃除去手段（50）の第１巻取ドラム（53）および第２巻取ドラム（54）に巻き取られる部分である。
【００５５】
上記塵埃除去手段（50）は、エアフィルタ（40）に捕捉された塵埃を除去するためのものである。この塵埃除去手段（50）は、空気導入部（51）と、フィルタ移動手段（52）とを備えている。
【００５６】
上記フィルタ移動手段（52）は、エアフィルタ（40）を所定位置に保持する一方、エアフィルタ（40）をその長手方向に往復動させるためのものである。このフィルタ移動手段（52）は、第１巻取ドラム（53）、第２巻取ドラム（54）およびガイドローラ（55）を備えている。
【００５７】
上記第１巻取ドラム（53）および第２巻取ドラム（54）は、ベルマウス（25）の下側で且つその入口より外側に配置されている。第１巻取ドラム（53）は図２における右側（以下、後方側という。）に位置し、第２巻取ドラム（54）は図２における左側（以下、前方側という。）に位置している。各巻取ドラム（53,54）は、駆動モータ（56）によって可逆に回転駆動されて、エアフィルタ（40）の巻取り部（42）を巻き取るように構成されている。これにより、エアフィルタ（40）のフィルタ本体（41）が前方側または後方側へ移動する。ガイドローラ（55）は、第１巻取ドラム（53）のやや前方側に配置されている。このガイドローラ（55）は、エアフィルタ（40）の巻取り部（42）を下から支持すると共に、エアフィルタ（40）の移動に従って回転するように構成されている。
【００５８】
なお、上記ベルマウス（25）の下面には、ガイド部材（57）が取り付けられている（図２を参照）。このガイド部材（57）は、エアフィルタ（40）の上から該エアフィルタ（40）の移動をガイドするためのものである。
【００５９】
上記空気導入部（51）は、導入部本体（51a）と開閉蓋（51b）を備えている。導入部本体（51a）は、エアフィルタ（40）の上側（背面側）の前方側であって、ベルマウス（25）の入口の外側に配置されている。導入部本体（51a）は、やや扁平な筒状に形成され、開口形状がエアフィルタ（40）の幅方向に細長く延びる矩形状に形成されている（図３参照）。
【００６０】
そして、上記導入部本体（51a）の一方の開口端（図２の上側端）は、入口側開口であり、室内ファン（39）の配置空間に位置している。また、導入部本体（51a）の他方の開口端（図２の下側端）は、出口側開口であり、ベルマウス（25）の下側においてエアフィルタ（40）の上面（背面）に臨むように位置している。つまり、導入部本体（51a）の入口側開口は、室内ファン（39）の吹出側と室内熱交換器（37）との間の空間に連通し、室内熱交換器（37）を通過する前の室内ファン（39）の吹出空気が導入される導入口を構成している。そして、空気導入部（51）は、室内ファン（39）の吹出空気を導入してエアフィルタ（40）の上面に吹き付けることにより、エアフィルタ（40）に捕捉されている塵埃を除去するように構成されている。つまり、導入部本体（51a）の出口側開口は、室内ファン（39）の吹出空気が吹き出す吹出口を構成している。
【００６１】
上記開閉蓋（51b）は、導入部本体（51a）の入口側の開口端に設けられ、該入口側開口を開閉する開閉手段を構成している。なお、室内ユニット（13）内には、図示しないが、開閉蓋（51b）を開閉駆動するための駆動機構が設けられている。
【００６２】
上記塵埃排出手段（60）は、第１排出ダクト（61）および２つの第２排出ダクト（67）を備えている。
【００６３】
上記第１排出ダクト（61）は、図５にも示すように、やや細長い直方体状に形成され、その上面には塵埃取込口（63）が形成されている。この塵埃取込口（63）は、第１排出ダクト（61）の長手方向に延びる矩形状に開口している。第１排出ダクト（61）は、エアフィルタ（40）の下側の前方側において該エアフィルタ（40）を横断するように配置されている。また、第１排出ダクト（61）は、塵埃取込口（63）が空気導入部（51）の導入部本体（51a）の出口側開口端に対応するように配置されている。つまり、空気導入部（51）の出口側開口と塵埃取込口（63）とは、エアフィルタ（40）を挟んで対向している。そして、第１排出ダクト（61）は、空気導入部（51）の吹出空気によってエアフィルタ（40）から除去された塵埃が塵埃取込口（63）を通じて取り込まれるように構成されている。
【００６４】
上記第１排出ダクト（61）は、前方側の面が円弧状に膨出した円弧部（62）になっている。エアフィルタ（40）は、この円弧部（62）に沿って折り返されて、第２巻取ドラム（54）に巻き取られる。また、塵埃貯留容器（60）の幅方向に沿った両側面には、後述するフレキシブル管（66）が接続される接続用開口（64）が形成されている。また、第１排出ダクト（61）は、その長手方向に貫通する回動軸（65）が設けられ、該回動軸（65）を中心に回動するように構成されている。なお、室内ユニット（13）には、図示しないが、回動軸（65）を回転させる駆動機構が設けられている。
【００６５】
上記第２排出ダクト（67）は、入口端がフレキシブル管（66）を介して第１排出ダクト（61）の接続用開口（64）に接続されている。第２排出ダクト（67）は、出口端がケーシング本体（26）の側壁を貫通して、図示しないが室内の天井裏まで延びている。つまり、第１排出ダクト（61）および第２排出ダクト（67）は、エアフィルタ（40）から除去された塵埃が空気導入部（51）からの吹出空気と共に天井裏へ搬送（排出）されるように構成されている。また、本実施形態では、図示しないが、天井裏まで導かれた塵埃がそのまま天井裏に溜められる。
【００６６】
〈フィルタ清掃動作〉
本実施形態の空気調和装置（10）は、冷暖房を行う通常運転と、エアフィルタ（40）の清掃を行うフィルタ清掃運転とが切換可能に構成されている。
【００６７】
先ず、通常運転では、圧縮機（30）、室外ファン（12）および室内ファン（39）が駆動される。室内ユニット（13）では、室内空気が吸込口（22）から吸い込まれてベルマウス（25）を通過した後、室内ファン（39）から吹き出される。この吹出空気は、室内熱交換器（37）の冷媒と熱交換して冷却または加熱された後、各吹出口（23）から室内へ供給される。
【００６８】
図６（ａ）に示すように、上述した通常運転時において、エアフィルタ（40）は、ベルマウス（25）を覆う所定位置に配置される。したがって、吸込口（22）から吸い込まれた室内空気は、ベルマウス（25）に流入する前にエアフィルタ（40）を通過するが、その通過の際に塵埃が捕捉される。また、空気導入部（51）の開閉蓋（51b）は閉じられており、室内ファン（39）から吹き出される空気が空気導入部（51）に流入することはない。したがって、室内ファン（39）から吹き出された空気の全部が室内熱交換器（37）へ供給されるので、そのファン（39）の運転効率の低下が防止される。
【００６９】
次に、フィルタ清掃運転（フィルタ清掃動作）について、図６（ｂ）および図６（ｃ）を参照しながら説明する。フィルタ清掃運転では、エアフィルタ（40）を移動させるフィルタ移動動作とエアフィルタ（40）の塵埃を除去する塵埃除去動作とが行われる。
【００７０】
先ず、フィルタ移動動作が行われる。図６（ｂ）に示すように、空気導入部（51）の開閉蓋（51b）を閉じたままで、第１排出ダクト（61）を下向きに回動させる。この状態において、２台の駆動モータ（56）が駆動される。そうすると、エアフィルタ（40）が第２巻取ドラム（54）に巻き取られて移動する。そして、エアフィルタ（40）のフィルタ本体（41）が空気導入部（51）まで移動すると、２台の駆動モータ（56）が停止される。つまり、エアフィルタ（40）のフィルタ本体（41）が空気導入部（51）の下方に位置した状態で停止する。なお、この状態において室内ファン（39）は駆動したままである。
【００７１】
その際、第１排出ダクト（61）が回動してその後方側と空気導入部（51）との間が開口しているため、フィルタ本体（41）は第１排出ダクト（61）に干渉することなく移動する。したがって、フィルタ本体（41）が第１排出ダクト（61）に干渉することによって塵埃が除去され、吸込グリル（29）から室内へ落下するのを防止できる。また、第１排出ダクト（61）と第２排出ダクト（67）とは、フレキシブル管（66）で接続されているので、第１排出ダクト（61）の回動動作によって寸断されることはない。
【００７２】
次に、塵埃除去動作が行われる。図６（ｃ）に示すように、第１排出ダクト（61）が上向きに回動して元の状態に戻る。これにより、第１排出ダクト（61）の後方側と空気導入部（51）との間がシールされる。そして、空気導入部（51）の開閉蓋（51b）が開く。そうすると、室内ファン（39）から吹き出された空気の一部が空気導入部（51）の入口側開口から流入し、下向きに吹き出す。吹き出した空気は、フィルタ本体（41）をその背面側から正面側へ向かって通過する。この通過により、フィルタ本体（41）の正面側に捕捉されていた塵埃が除去される。除去された塵埃は、通過した空気と共に塵埃取込口（63）から第１排出ダクト（61）へ流入する。この第１排出ダクト（61）に流入した空気は、塵埃と共に第２排出ダクト（67）へ流れて天井裏に排出される。こうして、エアフィルタ（40）の塵埃が除去され且つ室内ユニット（13）外へ排出される。この塵埃除去動作においては、第１排出ダクト（61）と空気導入部（51）との間がシールされているため、第１排出ダクト（61）に流入した空気および塵埃が塵埃取込口（63）から再流出して室内へ流れることはない。
【００７３】
上述した塵埃除去動作が所定時間行われると、空気導入部（51）の下方に位置するフィルタ本体（41）の塵埃が除去されたと判断され、再び上述したフィルタ移動動作が行われる。つまり、塵埃除去動作が所定時間行われると、図６（ｂ）に示すように、空気導入部（51）の開閉蓋（51b）が閉じられた後、第１排出ダクト（61）が下向きに回動する。そして、駆動モータ（56）が再び駆動されて、エアフィルタ（40）が第２巻取ドラム（54）にさらに巻き取られる。そして、フィルタ本体（41）が空気導入部（51）に対して所定長さだけ移動すると、２台の駆動モータ（56）が停止される。その際、塵埃が除去された前の部分の一部が空気導入部（51）の下方に残るように、エアフィルタ（40）が所定長さだけ移動する。つまり、前に塵埃除去された部分の一部がラップするようにエアフィルタ（40）は移動する。これにより、エアフィルタ（40）の塵埃を確実に除去することができる。そして、エアフィルタ（40）が移動して停止すると、再び上述した塵埃除去動作が行われる。このように、フィルタ移動動作および塵埃除去動作が交互に行われることにより、フィルタ本体（41）の全長（塵埃が捕捉されている部分の全て）について塵埃が除去される。
【００７４】
フィルタ本体（41）の全長において塵埃が除去されると、図示しないが、２台の駆動モータ（56）が逆回転で駆動してエアフィルタ（40）が巻き戻される。つまり、エアフィルタ（40）が第１巻取ドラム（53）に巻き取られて元の状態に戻る（図６（ａ）参照）。なお、このエアフィルタ（40）の巻き戻し時には、図６（ａ）に示すように、空気導入部（51）の開閉蓋（51b）は閉じられ、第１排出ダクト（61）は元の状態になっている。以上により、フィルタ清掃運転が終了する。
【００７５】
また、フィルタ清掃運転時において、駆動モータ（56）の逆回転駆動や発停のタイミングは、駆動モータ（56）の回転した数に応じて計るようにしてもよいし、または、所定の箇所にリミットスイッチを配置すると共に、それに対応するストライカーをエアフィルタ（40）に設けることで、駆動モータ（56）の発停等のタイミングを計るようにしてもよい。
【００７６】
−実施形態の効果−
本実施形態では、エアフィルタ（40）に捕捉された塵埃を室内ファン（39）の吹出空気によって除去するようにした。したがって、エアフィルタ（40）を簡易に清掃することができると共に、吸引ファン等の塵埃除去手段を別途設ける必要がないため、室内ユニット（13）の大型化を防止することができる。
【００７７】
特に、本実施形態では、室内ファン（39）の吹出空気を導入してエアフィルタ（40）の背面に向かって吹き出す空気導入部（51）を設けるようにした。したがって、エアフィルタ（40）において、塵埃が捕捉されている面（正面）とは反対側の背面から空気を通過させることができるので、塵埃を容易に除去することができる。その結果、塵埃の除去効率を向上させることができる。
【００７８】
また、本実施形態では、空気導入部（51）の入口側開口を室内ファン（39）の吹出側と室内熱交換器（37）との間に位置させるようにした。つまり、室内熱交換器（37）に流れる前の室内ファン（39）の吹出空気を空気導入部（51）に導入させるようにした。したがって、例えば冷房時の場合、室内熱交換器（37）で冷却される前の空気がエアフィルタ（40）へ流れるため、エアフィルタ（40）において冷気による結露発生を防止することができる。これにより、結露防止対策を別途講じる必要がないため、コスト削減を図ることができる。
【００７９】
さらに、本実施形態では、空気導入部（51）に開閉自在な開閉蓋（51b）を設けるようにしたので、フィルタ清掃の必要なときに開閉蓋（51b）を開くことで、室内ファン（39）の吹出空気を利用することができる。したがって、室内ファン（39）の吹出空気が無駄に空気導入部（51）に流入するのを防止することができる。これにより、室内ファン（39）の運転効率低下を抑制することができ、省エネ化を図ることができる。また、通常運転時には、確実に室内ファン（39）の吹出空気の全部を室内へ供給することができ、居住者の快適性低下を抑制することができる。
【００８０】
また、本実施形態では、空気導入部（51）に対してエアフィルタ（40）を順次移動させて塵埃を除去するようにした。したがって、空気導入部（51）の吹出口をフィルタ本体（41）のサイズに合わせて大きくしなくても、確実にフィルタ本体（41）の全長に亘って塵埃を除去することができる。これにより、空気導入部（51）の大型化引いては室内ユニット（13）の大型化を防止することができる。
【００８１】
また、本実施形態によれば、エアフィルタ（40）から除去された塵埃を排出ダクト（61,67）によってケーシング（34）外に排出するようにした。したがって、特に高所に取り付けられたユニット（13）から塵埃を取り出す手間を省くことができる。したがって、ユーザーによる塵埃の廃棄作業効率を向上させることができる。
【００８２】
さらに、塵埃を室内ユニット（13）から室内の天井裏に搬送して溜めるようにしたので、ユニットから排出された後の塵埃の処理（後始末）が不要になる。したがって、ユーザーの手間をさらに省くことができる。また、塵埃が天井裏に溜められるので、塵埃の収納容器等をユニット外（室内）に設けなくてもよく、装置のコンパクト化および室内環境の維持を図ることができる。
【００８３】
《実施形態の変形例》
−変形例１−
本変形例１は、図７および図８に示すように、上記実施形態において第１排出ダクト（61）に回転ブラシ（58）を設けるようにしたものである。
【００８４】
具体的に、上記回転ブラシ（58）は、棒状のシャフト部と、シャフト部の周囲の複数の植毛により構成されたブラシ部とを備え、本発明に係るブラシ部材を構成している。この回転ブラシ（58）は、第１排出ダクト（61）の塵埃取込口（63）に設けられて、エアフィルタ（40）の下側（正面側）に配置されている。つまり、回転ブラシ（58）は、シャフト部の軸方向が塵埃取込口（63）の長手方向に一致するように配置されている。そして、回転ブラシ（51）は、フィルタ本体（41）の移動時に、ブラシ部がそのフィルタ本体（41）に接触することで塵埃を掻き取るように構成されている。なお、このブラシ部は、いわゆる傾斜パイル状のブラシで構成するようにしてもよい。
【００８５】
この変形例では、フィルタ移動動作において、第１排出ダクト（61）が下向きに回動するが、回転ブラシ（58）はフィルタ本体（41）の正面側に押し付けられて接触するようになっている。したがって、フィルタ移動動作において、フィルタ本体（41）は回転ブラシ（58）と空気導入部（51）との間で回転ブラシ（58）に接触しながら移動する。この移動の際に、フィルタ本体（41）の塵埃が回転ブラシ（58）によって掻き取られる。また、掻き取られなくても、塵埃がフィルタ本体（41）から脱離しやすくなる。これにより、塵埃除去動作において、フィルタ本体（41）の塵埃を容易に除去することができる。その結果、塵埃の除去効率を向上させることができる。
【００８６】
−変形例２−
本変形例２は、図９に示すように、ケーシング（34）外に設置した２つの塵埃捕集箱（71）に塵埃を溜めるようにしたものである。具体的に、塵埃捕集箱（71）は、天井裏においてケーシング（34）の側面に取り付けられている。塵埃捕集箱（71）は、ケーシング（34）内から延びる第２排出ダクト（67）が接続され、エアフィルタ（40）から除去された塵埃が搬送されて貯留されるようになっている。
【００８７】
また、塵埃捕集箱（71）には、貯留された塵埃を取り出すための取出部（72）が設けられている。この取出部（72）は、化粧パネル（27）に形成されたアジャスタポケット（27a）を通して掃除機等により塵埃を吸い出せる（取り出せる）ようになっている。これにより、定期的に、塵埃捕集箱（71）の塵埃を廃棄することができる。アジャスタポケット（27a）は、一般に、点検やメンテナンスのために設けられた室内と天井裏との連通口であり、化粧パネル（27）の各コーナー部（角部）に形成されている。なお、通常時、アジャスタポケット（27a）はカバーで閉じられている。
【００８８】
このように、本変形例は、塵埃捕集箱（71）を天井裏に設置するようにしたので、室内環境に影響を及ぼすことなく、塵埃捕集箱（71）の容積を十分に確保することができる。その結果、塵埃の廃棄頻度を削減することができる。また、従来より設けられているアジャスタポケット（27a）を利用して塵埃捕集箱（71）に溜まった塵埃を取り出すようにしているので、室内ユニット（13）の構成を複雑化することはない。
【００８９】
なお、本変形例においては、塵埃捕集箱（71）をケーシング（34）内に配置するようにしてもよい。この場合、塵埃捕集箱（71）は、例えば、吸込グリル（29）を開けることで掃除機等で塵埃を取り出し可能な箇所に設けられる。
【００９０】
また、図９（ａ）に示すように、塵埃捕集箱（71）は、平面視において化粧パネル（27）の外側にはみ出る大きさに形成されているが、平面視において化粧パネル（27）の内側に収まる大きさであって、天井開口（図９（ａ）に示す二点鎖線）よりも外側にはみ出る大きさに形成されるものであってもよい。
【００９１】
−変形例３−
本変形例３は、上記実施形態のフィルタ清掃運転における塵埃除去動作時に、風向調整板（23a）を調整して各吹出口（23）の通風抵抗が最大になるようにしたものである。この場合、フィルタ清掃運転において、各吹出口（23）の通風抵抗が最大に（大きく）なるので、吹出口（23）の吹出量が通常運転時よりも大幅に減少する。そして、その減少した分、空気導入部（51）への空気流入量が増大する。つまり、フィルタ本体（41）への吹出空気量が増大する。これにより、フィルタ本体（41）の塵埃の除去効率および排出効率が向上し、フィルタ清掃運転時間が短縮される。
【００９２】
なお、本変形例では、各吹出口（23）を風向調整板（23a）によって閉鎖して、吹出口（23）の吹出量をゼロ（略ゼロ）にするようにしてもよい。その場合、供給側ダクト（71）への空気流入量がさらに増大するので、塵埃の除去効率および排出効率を一層向上させることができる。
【００９３】
−変形例４−
本変形例４は、上記実施形態のフィルタ清掃運転における塵埃除去動作時に、室内ファン（39）の運転回転数を最大にするようにしたものである。この場合、フィルタ清掃運転の塵埃除去動作において、空気導入部（51）への空気流入量が増大する。したがって、フィルタ本体（41）の塵埃の除去効率および排出効率が向上する。
【００９４】
なお、本変形例では、室内ファン（39）を最大回転数で運転しないまでも、通常運転時よりも高い運転回転数で運転するようにしてもよい。
【００９５】
−変形例５−
本変形例５は、上記実施形態のフィルタ清掃運転における塵埃除去動作時に、圧縮機（30）を停止するようにしたものである。つまり、フィルタ清掃運転時には、室内熱交換器（37）への冷媒の供給を停止する。そうすると、室内熱交換器（37）において空気が冷却または加熱されない。これにより、過度に冷却または加熱された空気が室内へ供給されるのを防止することができ、居住者の快適性を維持することができる。
【００９６】
つまり、フィルタ清掃運転時には、室内ファン（39）の吹出空気の一部が室内熱交換器（37）をバイパスして空気導入部（51）へ導入されるため、室内熱交換器（37）への空気供給量が通常運転時よりも減少する。このままでは、室内熱交換器（37）において、空気が過度に冷却または加熱され、居住者の快適性が損なわれるが、圧縮機（30）を停止することによりそれを防止することができる。また、室内熱交換器（37）で空気が過度に冷却されると、室内熱交換器（37）に露付き（結露）が生じるおそれがあるが、その不具合も防止することができる。
【００９７】
《その他の実施形態》
上記実施形態は、以下のように構成してもよい。
【００９８】
例えば、上記実施形態では、室内天井に設置される室内ユニット（13）について説明したが、本発明はこれに限らず、室内の壁に設置されるいわゆる壁掛け式の室内ユニットであっても適用することができる。
【００９９】
また、上述したフィルタ清掃運転のフィルタ移動動作において、空気導入部（51）の開閉蓋（51b）を閉じた状態でエアフィルタ（40）を移動させるようにしたが、室内ファン（39）を停止させ且つ開閉蓋（51b）を開いた状態でエアフィルタ（40）を移動させるようにしてもよい。この場合、塵埃除去動作時には、室内ファン（39）を駆動して吹出空気を空気導入部（51）へ流入させる。
【０１００】
また、上記実施形態では、室内熱交換器（37）を通過する前の室内ファン（39）の吹出空気を空気導入部（51）に導入するようにしたが、本発明は、室内熱交換器（37）を通過した後の空気を空気導入部（51）に導入するようにしても、同様の塵埃除去動作を行うことができる。なお、この場合、例えば冷房中であれば、室内熱交換器（37）で冷却された空気が排出ダクト（61,67）等を流れるため、これら排出ダクト（61,67）等に結露が生じる。したがって、この場合、結露を防止するために、空気導入部（51）や排出ダクト（61,67）を断熱材で覆うようにしてもよい。
【０１０１】
また、上記実施形態では、エアフィルタ（40）から除去した塵埃を排出ダクト（61,67）を通じてケーシング（34）外へ排出するようにしたが、第２排出ダクト（67）およびフレキシブル管（66）を省略する一方、第１排出ダクト（61）を塵埃貯留容器として機能させるようにしてもよい。つまり、第１排出ダクト（61）の代わりに、エアフィルタ（40）から除去された塵埃が空気と共に取り込まれ、そのまま貯留される容器を設けるようにしてもよい。
【０１０２】
なお、以上の実施形態は、本質的に好ましい例示であって、本発明、その適用物、あるいはその用途の範囲を制限することを意図するものではない。
【産業上の利用可能性】
【０１０３】
以上説明したように、本発明は、フィルタの塵埃除去機能を備えた空気調和装置の室内ユニットとして有用である。
【図面の簡単な説明】
【０１０４】
【図１】本発明の実施形態に係る空気調和装置の構成を示す配管系統図である。
【図２】本発明の実施形態に係る室内ユニットの縦断面図である。
【図３】本発明の実施形態に係る室内ユニットの横断面図である。
【図４】本発明の実施形態に係る化粧パネルを下側から視て示す斜視図である。
【図５】本発明の実施形態に係る第１排出ダクトを後方から視て示す斜視図である。
【図６】本発明の実施形態に係るフィルタ清掃運転の動作を示す図であり、（ａ）は通常運転時の状態を、（ｂ）はフィルタ移動動作時の状態を、（ｃ）は塵埃除去動作時の状態をそれぞれ示す。
【図７】実施形態の変形例１に係る室内ユニットの縦断面図である。
【図８】実施形態の変形例１に係る第１排出ダクトおよび回転ブラシを後方から視て示す斜視図である。
【図９】実施形態の変形例２に係る室内ユニットを示す図であり、（ａ）は天井裏から視た平面図であり、（ｂ）は側面図である。
【符号の説明】
【０１０５】
10          空気調和装置
13          室内ユニット
23          吹出口
23a         風向調整板
34          ケーシング
37          室内熱交換器
39          室内ファン
40          エアフィルタ
50          塵埃除去手段
51          空気導入部
51b         開閉蓋（開閉手段）
52          フィルタ移動手段
58          回転ブラシ（ブラシ部材）
61          第１排出ダクト（排出ダクト）
63          塵埃取込口
67          第２排出ダクト（排出ダクト）
71          塵埃捕集箱
【図１】
2009030862.tif 000003
【図２】
2009030862.tif 000004
【図３】
2009030862.tif 000005
【図４】
2009030862.tif 000006
【図５】
2009030862.tif 000007
【図６】
2009030862.tif 000008
【図７】
2009030862.tif 000009
【図８】
2009030862.tif 000010
【図９】
2009030862.tif 000011